(57)【要約】【課題】携帯端末装置のＴＶ視聴時やナビゲーション時などのキー操作の操作性を向上させることを目的とする。【解決手段】携帯端末装置１は、複数のキー３を有する第１のキーボードパネル１９と、第１のキーボードパネル１９に重なる位置に取り付けられることにより、複数のキー３のうちの少なくとも２以上のキー３に重なる位置に配置されることとなるキー４を有する第２のキーボードパネル２と、第１のキーボードパネル１９の複数のキー３の入力に基づいて、第２のキーボードパネル２のキー４の入力を検出する制御部と、を備える。【選択図】図１
2009277574.tif 000002
【特許請求の範囲】
【請求項１】
複数のキーを有する第１のキーボードパネルと、
前記第１のキーボードパネルに重なる位置に取り付けられることにより、前記複数のキーのうちの少なくとも２以上のキーに重なる位置に配置されることとなるキーを有する第２のキーボードパネルと、
前記第１のキーボードパネルの前記複数のキーの入力に基づいて、前記第２のキーボードパネルのキーの入力を検出する制御部と、
を備える携帯端末装置。
【請求項２】
前記第２のキーボードパネルは、前記第１のキーボードパネルの前記複数のキーのうちのいずれのキーの位置にも重ならない位置に突起部を有する
請求項１記載の携帯端末装置。
【請求項３】
前記制御部は、前記第１のキーボードパネルの前記複数のキーのうち、前記第２のキーボードパネルのキーに重なる位置に配置されたキーのとなりに配置されたキーのうち少なくとも一部のキーについては、キーの入力を検出しない
請求項１又は請求項２記載の携帯端末装置。
【請求項４】
前記第２のキーボードパネルは、着脱可能である
請求項１乃至請求項３のいずれか１項に記載の携帯端末装置。
【請求項５】
前記第１のキーボードパネルは、ＱＷＥＲＴＹ配列のキーを有するキーボードパネルであって、
前記第２のキーボードパネルは、ダイヤルボタンを有するキーボードパネルである、
請求項１乃至請求項４のいずれか１項に記載の携帯端末装置。
【請求項６】
前記第２のキーボードパネルは、半透明材料からなる
請求項１乃至請求項５のいずれか１項に記載の携帯端末装置。
【請求項７】
複数のキーを有する第１のキーボードパネルと、
前記第１のキーボードパネルの前記複数のキーの入力を検出する制御部と、
を有する携帯端末装置と、
前記第１のキーボードパネルに重なる位置に取り付けられることにより、前記複数のキーのうちの少なくとも２以上のキーに重なる位置に配置されることとなるキーを有する第２のキーボードパネル
を有する固定台と、
を備え、
前記制御部は、前記第１のキーボードパネルの前記複数のキーの入力に基づいて、前記第２のキーボードパネルのキーの入力を検出する、
電子機器。
【請求項８】
前記携帯端末装置が、
車両ナビゲーションを行う車両ナビゲーション部を有する、
請求項７記載の電子機器。
【請求項９】
前記固定台が、
前記固定台に前記携帯端末装置を固定したことを検出する固定検出部を有し、
前記車両ナビゲーション部は、前記固定検出部が前記固定台に前記携帯端末装置を固定したことを検出した場合に車両ナビゲーションを起動する
請求項８記載の電子機器。
【請求項１０】
前記第２のキーボードパネルは、前記第１のキーボードパネルの前記複数のキーのうちのいずれのキーの位置にも重ならない位置に突起部を有する
請求項７乃至請求項９のいずれか１項に記載の電子機器。
【請求項１１】
前記制御部は、前記第１のキーボードパネルの前記複数のキーのうち、前記第２のキーボードパネルのキーに重なる位置に配置されたキーのとなりに配置されたキーのうち少なくとも一部のキーについては、キーの入力を検出しない
請求項７乃至請求項１０のいずれか１項に記載の電子機器。
【請求項１２】
前記第２のキーボードパネルは、着脱可能である
請求項７乃至請求項１１のいずれか１項に記載の電子機器。
【請求項１３】
前記第１のキーボードパネルは、ＱＷＥＲＴＹ配列のキーを有するキーボードパネルであって、
前記第２のキーボードパネルは、ダイヤルボタンを有するキーボードパネルである、
請求項７乃至請求項１２のいずれか１項に記載の電子機器。
【請求項１４】
前記第２のキーボードパネルは、半透明材料からなる
請求項７乃至請求項１３のいずれか１項に記載の電子機器。
【発明の詳細な説明】
【技術分野】
【０００１】
本発明は、キー入力装置を有する携帯電話機、無線端末等の携帯端末装置に関するものである。
【背景技術】
【０００２】
携帯電話機などの携帯端末装置は多機能化が進み、テンキー、十字キー、ソフトキー、サイドキー、ＱＷＥＲＴＹ配列のキーなどキーの種類と数が増える一方で、端末の小型化のためには、一個あたりのキーサイズを小さくするとキーの操作性が劣化するという課題があった。そのため、携帯端末装置では、一つのキーが複数の機能を有していて、動作モードの違いによって使い分けることが一般的に行われている。
【０００３】
これに加えて、今後は、さらに携帯端末の機能の多様化が進み、手持ち状態以外の利用、例えばＴＶ映像視聴やナビゲーション機能を動作するため据え置き状態または固定状態での利用が増えてくるため、様々な場面でのキー操作性の向上が求められている。
【０００４】
例えば、情報端末において、キーボードパネルを取り換えると、ソフトウェアによって取り換え後の各キーの位置に対応して、どのキーが押されたかを自動判定することにより、ハードウェアの大規模な変更をせずにキーボードの取り換えを可能としたものが知られている（特許文献１参照）。
【０００５】
また、軽量化・持運びに便利の二点が重要視されているノートブック・パソコン型キーボードにおいて、ファンクションキーの機能を拡張し使い易くするために機械的構造を有する機能変換シートを用いることが知られている（特許文献２参照）。
【特許文献１】特開２００４−２９５７３０号公報
【特許文献２】実開平６−０６５９２７号公報
【発明の開示】
【発明が解決しようとする課題】
【０００６】
しかしながら、前述の従来のキー変換は、ひとつのキースイッチの表示又は機能を変えるものであり、キーのサイズは変わらず小さいため、ＴＶ視聴時やナビゲーション時などのキー操作の操作性が悪かった。
【０００７】
本発明は上記課題を解決するもので、携帯端末装置等のＴＶ視聴時やナビゲーション時などのキー操作の操作性を向上させることを目的とする。
【課題を解決するための手段】
【０００８】
上記目的を達成するために、本発明の携帯端末装置は、複数のキーを有する第１のキーボードパネルと、前記第１のキーボードパネルに重なる位置に取り付けられることにより、前記複数のキーのうちの少なくとも２以上のキーに重なる位置に配置されることとなるキーを有する第２のキーボードパネルと、前記第１のキーボードパネルの前記複数のキーの入力に基づいて、前記第２のキーボードパネルのキーの入力を検出する制御部と、を備える。
【０００９】
この構成により、第２のキーボードパネルのキーが、第１のキーボードパネルのキーよりも大きくなるため、ＴＶ視聴時やナビゲーション時などのキー操作の操作性が向上する。
【００１０】
また、本発明の電子機器は、複数のキーを有する第１のキーボードパネルと、前記第１のキーボードパネルの前記複数のキーの入力を検出する制御部と、を有する携帯端末装置と、前記第１のキーボードパネルに重なる位置に取り付けられることにより、前記複数のキーのうちの少なくとも２以上のキーに重なる位置に配置されることとなるキーを有する第２のキーボードパネルを有する固定台と、を備え、前記制御部は、前記第１のキーボードパネルの前記複数のキーの入力に基づいて、前記第２のキーボードパネルのキーの入力を検出する。
【００１１】
この構成により、第２のキーボードパネルのキーが、第１のキーボードパネルのキーよりも大きくなるため、ＴＶ視聴時やナビゲーション時などの据え置き時のキー操作の操作性が向上する。
【発明の効果】
【００１２】
本発明の携帯端末装置によれば、第２のキーボードパネルのキーが、第１のキーボードパネルのキーよりも大きくなるため、ＴＶ視聴時やナビゲーション時などのキー操作の操作性が向上する。
【００１３】
また、本発明の電子機器によれば、第２のキーボードパネルのキーが、第１のキーボードパネルのキーよりも大きくなるため、ＴＶ視聴時やナビゲーション時などの据え置き時のキー操作の操作性が向上する。
【発明を実施するための最良の形態】
【００１４】
以下、本発明の実施の形態について、図面を用いて説明する。
【００１５】
（実施の形態１）
図１は、本発明の実施の形態１の携帯端末装置１の概略構成図である。図１に示すように、携帯端末装置１は、複数のキー３を有する第１のキーボードパネル１９と、第１のキーボードパネル１９に重なる位置に取り付けられることにより、複数のキー３のうちの少なくとも２以上のキー３に重なる位置に配置されることとなるキー４を有する第２のキーボードパネルであるキー変換シート２とを備える。また、携帯端末装置１は、第１のキーボードパネル１９の複数のキー３の入力に基づいて、第２のキーボードパネルであるキー変換シート２のキー４の入力を検出する（図示しない）制御部を備える。
【００１６】
携帯端末装置本体１は例えば携帯電話であるが、モバイルパソコン（モバイルＰＣ）、ＰＤＡ（Ｐｅｒｓｏｎａｌ−Ｄｉｇｉｔａｌ−Ａｓｓｉｓｔａｎｔｓ）やポータブルナビゲーション（ＰＮＤ）などの手持ち状態でキー３を操作する携帯端末であってもよい。
【００１７】
第２のキーボードパネルであるキー変換シート２は、携帯端末装置１の第１のキーボードパネル１９の小さいキー３を大きいキー４の操作に変換するものであり、図１に示すように携帯端末装置１の第１のキーボードパネル１９のキー３の上に固定又は配置する板状の構造を有している。第２のキーボードパネルであるキー変換シート２は、キー４を有し、キー変換シート２を第１のキーボードパネル１の上に固定又は配置してキー４を押すと、少なくとも２つ以上の第１のキーボードパネル１９のキー３が押される構造を有している。このため、第２のキーボードパネルであるキー変換シート２のキー４は、第１のキーボードパネル１９のキー３よりもサイズが大くすることができる。すなわち、第２のキーボードパネル２は、第１のキーボードパネル１９の複数のキー３をサイズが大きいキー４に変換する機能を有していると言える。なお、ここで第１のキーボードパネル１９は機械的キー（ボタン）であり、押したときの感覚が指でわかるものである。
【００１８】
次に、第２のキーボードパネル２の構造について説明する。図２（ａ）は、第２のキーボードパネル２を携帯端末装置１の本体に載せたときの断面図である。以下は、２つのキー３ａ、３ｂをキー４ｃに変換する一例を示す。キー４ｃは、第１のキーボードパネル１９の２つのキー３ａ、３ｂの上部に重なるように配置され、キー４ｃを押すと、キー３ａ、３ｂが押されるような構造になっている。図２（ｂ）は、キー４ｃを押した状態の断面図である。２つのキー３ａ、３ｂは、図示しない制御部によって、同一の入力を検出される。このため、ユーザーがキー４ｃを押すことによって、キー３ａ、３ｂのどちらかが押されれば、キー３ａ、３ｂのどちらが押された場合でも携帯端末装置１は、同一の機能を実行するようになっている。このようにすることで、サイズの大きいキー４ｃの端部を押したときでもキー操作を確実に実行できるようになり、キーの操作性が向上する。
【００１９】
また、キー４は第２のキーボードパネル２の本体と可動接続部５で結合されている。可動接続部５は、結合機能と同時に、キー４が第２のキーボードパネル２の本体と独立に可動できるように、柔軟性のあるプラスチックなどでできたシートやゴムなどで構成されている。
【００２０】
また、キー４を押したときに、第２のキーボードパネル２の本体が携帯端末装置１の本体の第１のキーボードパネル１９又はキー３の面に対して上下方向などに動かないように、キー４の周辺などの近傍に突起部６を有している。第１のキーボードパネル１９の複数のキー３a、３ｂ、３ｄ、3ｅの間又はすき間に突起部６が配置されることによって、キー４ｃを押したときに、キー３a、３ｂ以外のキーが押されることを防止することが可能になる。すなわち、キー４が押されたときに、制御部が誤った入力の検出をしないようにすることができる。
【００２１】
図３は、第２のキーボードパネル２と、第２のキーボードパネル２のキー４ｃを上から見た図である。キー４ｃは、破線で示した第１のキーボードパネル１９のキー３a、３ｂに重なる大きさを有している。キー４ｃは、キー３a、３ｂを含むサイズよりも大きくてもよいが、キー３a、３ｂに隣接するキーキー３ｄ、３ｅにかからないようにする。もしくは、キー４ｃは、キー３a、３ｂを含むサイズより小さくても構わないがキー３a、３ｂともに重なる位置に配置する。
【００２２】
キー４ｃは、第２のキーボードパネル２のフレーム７と４つの可動接続部５で結合されている。可動接続部５は、伸縮性があるゴムや、フレキシブルなプラスチックシートなどの材料でできており、キー４ｃを上下に可動可能とすることができ、これによりキー４ｃを押すことでキー３a、３ｂを押すことが可能となる。
【００２３】
キー４や第２のキーボードパネル２のフレーム７や突起部６は硬い材料の例えばプラスチック材料などでできている。また、図３に示すように、突起部６を、フレーム７の可動接続部５との接続部に配置することで、キー４ｃを押したときに、キー３a、３ｂ以外のキーが押されることを防止することが可能になる。すなわち、キー４が押されたときに、制御部が誤った入力の検出をしないようにすることができる。
【００２４】
図４は、上記第２のキーボードパネル２のキー４ｃと可動接続部５を除いた部分を裏面から見た図である。キー４ｃの外側に突起部６が四方に配置されており、キー４ｃが押されたときにキー３ｄやキー３ｅが押されないようにすることができる。
【００２５】
なお、図３に示した第１のキーボードパネル１９と第２のキーボードパネル２のような構造の場合に、制御部が、第１のキーボードパネル１９の複数のキー３a、３ｂ、３ｄ、3ｅのうち、第２のキーボードパネル２のキー４ｃに重なる位置に配置されたキー３a、３ｂのとなりに配置されたキー３ｄ、３ｅについては、入力を検出しないようにすることもできる。このようにすれば、キー４が押されたときに、制御部が誤った入力の検出をしないようにすることができる。または、第２のキーボードパネル２のキー４ｃに重なる位置に配置されたキー３a、３ｂのとなりに配置されたキー３ｄ、３ｅのうち少なくとも一部のキーについては、キーの入力を検出しないようにしても、制御部が誤った入力の検出をすることを減らすことができる。
【００２６】
図５に、可動接続部５の代わりに、可動接続シート８を用いた第２のキーボードパネル２の構造図を示す。可動接続シート８は、ゴムなどの弾力性のある柔らかい材料からなる薄いシートであり、図５のようにキー４の部分が凸状に膨らんでいる。キー４と第２のキーボードパネル２のフレーム７を図５のように接着剤９等を用いて固定する。可動接続シート８は柔らかくて弾力性があるため、キー４が押されたときは変形するが、キー４を離すと元の凸形状に戻るようになっている。可動接続シート８を用いることによって、図４の構造に比べてキーが押しやすくなるとともに可動接続シートは一体成形できるので製造が容易になるという利点がある。
【００２７】
次に、上記キー４を有する第２のキーボードパネル２を利用した例について説明する。
【００２８】
携帯電話にＴＶ受信機能が内蔵されており、机の上などに置いてＴＶを視聴するときにこのキー４を利用する。ＴＶ視聴には複雑なキー操作は必要とせず、チャンネル選択、音量調整などで十分であると同時に、操作しやすい大きいボタンが好ましい。
【００２９】
上記のＴＶ視聴の場合に、例えばキー３ａとキー３ｂに、音量アップ機能を持たせる。キー３ａとキー３ｂは同じ機能とし、制御部がキー４ｃが押されたことにより、キー３ａとキー３ｂのどちらか一方のキーがオンになったことを検出したら、音量アップできるようにする。これにより、大きなキー４ｃで音量アップをすることができるので、キー操作の操作性が向上する。
【００３０】
図６には、携帯電話のダイヤルボタン又はテンキーの２、３、５、６のキーの上部に重なるキー４を、例えばナビゲーション機能のスタート／終了ボタンとして割り当てたときの第２のキーボードパネル２の利用例を示す。第２のキーボードパネル２の具体的構造は、例えば図２〜４又は図５と同じようにして製造することができる。これにより、大きなキー４ｃでナビゲーション機能のスタート／終了をすることができるので、キー操作の操作性が向上する。
【００３１】
図７は、第２のキーボードパネル２を携帯端末装置１の本体に固定する方法の一例を示す。第２のキーボードパネル２は、固定用爪１０を利用して携帯端末装置１の本体に固定できるようになっている。そして、例えば、携帯電話として利用する場合は、第２のキーボードパネル２が邪魔になるため、第２のキーボードパネルは、携帯端末装置１の本体１から外すことができる。すなわち、第２のキーボードパネル２は、固定用爪１０を利用して携帯端末装置１の本体から着脱可能となっている。また、第２のキーボードパネル２が着脱できることによって、必要がない場合には、かばんの中などにしまっておくことができる。なお、固定用爪１０の代わりに、磁石などを利用して着脱可能にすることもできる。
【００３２】
また、図８に示すように、蝶番１１を利用して第２のキーボードパネル２を本体から外すことなく、キーの変換ができるようにすることもできる。蝶番１１を利用することによって、第１のキーボードパネルを利用するときは、第２のキーボードパネル２を上部に載せ、第二キーを利用するときは第２のキーボードパネル２を外すことができる。
【００３３】
以上により、第２のキーボードパネル２を用いることによって、従来の携帯電話をＴＶやナビゲーションなどの据え置き状態などの機能利用時でも、キーが大きいためにキー操作の操作性が向上する。
【００３４】
また、サイズが大きいキーの表面にキーの機能表示を大きく記載することができるため、ユーザにとってキーが見やすくなり、さらにキー操作の操作性が向上する。
【００３５】
また、この第２のキーボードパネルは、電子ペーパやタッチスクリーンに比べて安価で実現できる。
【００３６】
さらに、第２のキーボードパネルは、半透明の材料を用いることで、携帯端末装置の第１のキーボードパネルから透過する光が第二キーを透過するため、夜間使用時などにおいても第二キー面の機能表示が見やすくなる。
【００３７】
（実施の形態２）
図９に、実施の形態２の第２のキーボードパネル２の例を示す。第２のキーボードパネル２以外の部分については実施の形態１と同様のため、説明を省略する。
【００３８】
第２のキーボードパネル２は、プラスチックなどの硬い材質のキー４ｃと柔軟性があるフレキシブルシート１２からなる。キー４ｃの上部を指で押すと、キー３ａ、３ｂのキーのどれか一つ以上が押される構造となっている。携帯端末装置１の本体のキー３ａ、３ｂの外側にある、キー３ｄ、３ｅはキー操作を無効にすることによって、フレキシブルシートを介して誤って押されたとしても誤動作しないようにすることができる。
【００３９】
実施の形態２の第２のキーボードパネルは、実施の形態１に比べて構造が簡単なため、部品点数を削減でき、安価に製造できるという利点がある。
【００４０】
（実施の形態３）
図１０に実施の形態３の携帯端末装置２０の概略構成図を示す。
【００４１】
図１０に示すように、本実施の形態３の携帯端末装置２０において、本体の第１のキーボードパネル１９は、モバイルＰＣ等で使用されるＱＷＥＲＴＹ配列のキー１４を有している。一方、第２のキーボードパネル２は携帯電話で従来から用いられているダイヤルキー又はテンキーのキー１３を有している。キー１３を有する第２のキーボードパネル２と携帯端末装置２０の本体は蝶番１１で結合されている。そして、携帯電話として利用する場合は、図１０（ａ）のように、ダイヤルキー又はテンキーのキー１３を用いて操作し、モバイルＰＣとして利用する場合は、図１０（ｂ）のように、ＱＷＥＲＴＹ配列のキー１４を用いる。なお、本実施の形態３の携帯端末装置２０のうち、実施の形態１または２と同様の部分は説明を省略する。
【００４２】
図１１に、ＱＷＥＲＴＹ配列キー１４をテンキー１３の配列へ変換する具体例を示す。ＱＷＥＲＴＹ配列キー１４の中の２個分を１個のテンキーへ変換している。ここで、例えば、ＱＷＥＲＴＹ配列キーの“Ｅ”キー、“Ｄ”キー、“Ｃ”キーのようにＱＷＥＲＴＹ配列のキーの縦配列は、“Ｑ”キー、“Ｗ”キー、“Ｅ”キー、“Ｒ”キー、“Ｔ”キー、“Ｙ”キーなどの横配列に対して、斜めに並んでいる。そのため、テンキーの縦配列と横配列とが略直角になるように配列するためには、第２のキーボードパネル２の構造に以下に述べる工夫が必要である。
【００４３】
図１２に、ＱＷＥＲＴＹ配列のキーの中の“Ｄ”キー、“Ｆ”キーをテンキーの“２”キーへ変換する部分の第２のキーボードパネルの断面構造を示す。図１２に示すように、本実施の形態３における携帯端末装置２０の第２のキーボードパネル（ＱＷＥＲＴＹ配列のキー）は、突起部６が、第１のキーボードパネルのキー（テンキー）を避けるように途中で曲がっており、第１のキーボードパネル又は第２のキーボードパネルと略平行になっている部分がある。また、突起部６が第１のキーボードパネル又は第２のキーボードパネルと略平行になっている部分では、第２のキーボードパネルのキーは厚さが薄くなっている。このような構造にすることにより、第２のキーボードパネルのＱＷＥＲＴＹ配列のキーは、第１のキーボードパネルのテンキーからずれた位置に配置できる。すなわち、テンキー“２”の中心が“Ｄ”と“Ｆ”の中心位置からずらして配置することができる。さらに、テンキー“２”の位置が“Ｓ”キーや“Ｇ”キーに重なっているにも関わらず、テンキー“２”は“Ｄ”と“Ｆ”のみを押す構造になっており、“Ｓ”キーや“Ｇ”キーが誤って押されることはない。以上の構造を工夫することにより、テンキーの縦配列と横配列とが略直角になるように配列することができる。
【００４４】
一般に、ＱＷＥＲＴＹ配列のキーを携帯端末装置２０に実装した場合のサイズは非常に小さく、例えば親指の爪などを用いて操作をすることを想定しているため、携帯電話として指で操作をするには不便であった。そこで、本実施の形態３のように、サイズの大きいダイヤルキー又はテンキーに変換することができれば、キー操作の操作性が格段に向上する。
【００４５】
（実施の形態４）
図１３に、実施の形態４の携帯端末装置２１及び固定台１５からなる電子機器であるナビゲーションシステムの概略構成図を示す。
【００４６】
第２のキーボードパネル２の詳細は、実施の形態１または２と同様のため説明は省略する。
【００４７】
図１３の携帯端末本体１は携帯電話としての機能のほかに、ＧＰＳ機能が内蔵されており、ナビゲーション機能が利用できる。車載用ナビゲーションとして利用する場合は、図１１に示すように第２のキーボードパネル２を含む車載用の固定台１５に固定して使用する。図１３（ａ）、（ｂ）に示すように、携帯電話本体１を車載用の固定台１５に取り付けたのち、第２のキーボードパネル２を携帯電話のダイヤルキー又はテンキーの上にかぶせて、ナビゲーション用のキー４に変換する。
【００４８】
このようにして、携帯端末装置２１を車載用のナビゲーションシステムとして利用できる。
【００４９】
なお、車載用の固定台１５は、電源線１６を有しており、自動車のバッテリから電源を供給または充電を行うこともできる。
【００５０】
第２のキーボードパネル２は、携帯端末装置２１の本体に結合されていてもよいが、本実施の形態のように、固定台１５に結合されているほうが、第２のキーボードパネル２を常に持ち歩く必要がないため便利である。
【００５１】
なお、上記はナビゲーション機能用固定台を説明したが、音楽やＴＶ視聴用の固定台などでも同様の構成で実現できる。
【００５２】
（実施の形態５）
図１４に実施の形態５の携帯端末装置２２及び固定台１５からなる電子機器であるナビゲーションシステムの概略構成図を示す。
【００５３】
第２のキーボードパネル２の詳細は、実施の形態１または２と同様のため説明は省略する。
【００５４】
実施の形態４と同様、携帯端末装置２２は携帯電話としての機能のほかに、ＧＰＳ機能が内蔵されており、ナビゲーション機能が利用できる。車載用ナビゲーションとして利用する場合は、図８に示すように第２のキーボードパネル２を含む車載用の固定台１５に固定して使用する。
【００５５】
図１４（ｂ）に示すように、携帯端末装置２２を車載用の固定台１５と第２のキーボードパネル２の間に挿入することによって取り付ける。
【００５６】
固定台１５と携帯端末装置２２は固定判定機能を有している。図１２に示すように、第２のキーボードパネル２の裏面に起動用スイッチ１７がついている。ここで起動スイッチは、例えば突起のようなものである。一方、携帯端末装置２２の第１のキーボードパネルの１９のキー３のひとつに固定判定機能を割り当てている。携帯端末装置２２を車載用の固定台１５に挿入したときに、上記突起等の起動用スイッチ１７によりこの固定判定機能を割り当てられたキー１８が押される構造になっている。
【００５７】
上記の固定判定機能を割り当てられたキー１８をナビゲーション起動用のキー１８として割当てると、携帯端末装置２２を車載用の固定台１５に固定することによって、ナビゲーションを自動的に起動させることができる。
【００５８】
以上により、携帯端末装置２２及び固定台１５からなる電子機器であるナビゲーションシステムは、実施の形態４よりもさらにキー操作の操作性が高い車載用ナビゲーションシステムとして利用できる。
【産業上の利用可能性】
【００５９】
本発明によれば、第２のキーボードパネルのキーが、第１のキーボードパネルのキーよりも大きくなるため、ＴＶ視聴時やナビゲーション時などのキー操作の操作性が向上するので、携帯端末装置として有用である。
【００６０】
また、本発明によれば、第２のキーボードパネルのキーが、第１のキーボードパネルのキーよりも大きくなるため、ＴＶ視聴時やナビゲーション時などの据え置き時のキー操作の操作性が向上するので、電子機器として有用である。
【図面の簡単な説明】
【００６１】
【図１】本発明の実施の形態１の携帯端末装置の概略構成図
【図２】本発明の実施の形態１の第２のキーボードパネルの断面図
【図３】本発明の実施の形態１の第２のキーボードパネルの詳細構成図
【図４】本発明の実施の形態１の第２のキーボードパネルの裏面から見た構成図
【図５】本発明の実施の形態１の可動接続シートを用いた第２のキーボードパネルの概略構成図
【図６】本発明の実施の形態１のキー変換シートの使用例を示す図
【図７】本発明の実施の形態１のキー変換シートの固定方法の一例を示す図
【図８】本発明の実施の形態１のキー変換シートの蝶番を用いた固定方法の一例を示す図
【図９】本発明の実施の形態２のキー変換シートの概略構成図
【図１０】本発明の実施の形態３の携帯端末装置の概略構成図
【図１１】本発明の実施の形態３の携帯端末装置におけるＱＷＥＲＴＹ配列キーをテンキーの配列への変換を説明する図
【図１２】本発明の実施の形態３の携帯端末装置におけるＱＷＥＲＴＹ配列キーをテンキーの配列への変換を説明する断面図
【図１３】本発明の実施の形態４の電子機器の概略構成図
【図１４】本発明の実施の形態５の電子機器の概略構成図
【符号の説明】
【００６２】
１、２０、２１、２２    携帯端末装置
１９    第１のキーボードパネル
２    第２のキーボードパネル（キー変換シート等）
３、４、１８    キー
５    可動接続部
６    突起部
７    第２のキーボードパネル（キー変換シート等）のフレーム
８    可動接続シート
９    接着剤
１０    固定用爪
１１    蝶番
１２    フレキシブルシート
１３    携帯電話配列のキーボードパネル
１４    ＱＷＥＲＴＹ配列のキーボードパネル
１５    車載用固定台
１６    電源線
１７    起動スイッチ
【図１】
2009277574.tif 000003
【図２】
2009277574.tif 000004
【図３】
2009277574.tif 000005
【図４】
2009277574.tif 000006
【図５】
2009277574.tif 000007
【図６】
2009277574.tif 000008
【図７】
2009277574.tif 000009
【図８】
2009277574.tif 000010
【図９】
2009277574.tif 000011
【図１０】
2009277574.tif 000012
【図１１】
2009277574.tif 000013
【図１２】
2009277574.tif 000014
【図１３】
2009277574.tif 000015
【図１４】
2009277574.tif 000016